(57)【要約】【課題】ノイズや大音量を抑制可能な信号処理回路を提供する。【解決手段】信号処理回路２１０は、誤り訂正可能なフォーマットを有するデジタルオーディオ信号を処理する。誤り訂正回路２１２は、デジタルオーディオ信号Ｓ１に誤り訂正処理を施し、ＰＣＭ（PulseCodeModulation）信号Ｓ３を出力する。デジタルボリューム回路２１４は、ＰＣＭ信号Ｓ３の振幅を、ボリューム値Ｓ４にしたがって調節する。ノイズ抑制器２１６は、誤り訂正回路２１２における訂正が失敗したときに、デジタルボリューム回路２１４のボリューム値Ｓ４を低下させる。【選択図】図２
2017228861.tif 000002
【特許請求の範囲】
【請求項１】
誤り訂正可能なフォーマットを有するデジタルオーディオ信号を処理する信号処理回路であって、
前記デジタルオーディオ信号に誤り訂正処理を施し、ＰＣＭ（Pulse Code Modulation）信号を出力する誤り訂正回路と、
前記ＰＣＭ信号の振幅を、ボリューム値にしたがって調節するデジタルボリューム回路と、
前記誤り訂正回路における訂正が失敗したときに、前記デジタルボリューム回路の前記ボリューム値を低下させるノイズ抑制器と、
を備えることを特徴とする信号処理回路。
【請求項２】
前記ノイズ抑制器は、前記誤り訂正回路における訂正の失敗が所定時間連続したときに、前記ボリューム値を低下させることを特徴とする請求項１に記載の信号処理回路。
【請求項３】
前記ボリューム値は、時間的に緩やかに低下することを特徴とする請求項２に記載の信号処理回路。
【請求項４】
前記ノイズ抑制器は、前記誤り訂正回路における訂正の失敗が発生する期間において、時間的に連続する２サンプルの前記ＰＣＭ信号の差分が所定のしきい値を超えると、前記ボリューム値を低下させることを特徴とする請求項１に記載の信号処理回路。
【請求項５】
所定の再生時間に対応する複数サンプルにわたるＰＣＭ信号を保持するバッファをさらに備え、
前記ノイズ抑制器は、前記差分が前記しきい値を超えるタイミングに先だって、前記ボリューム値を緩やかに低下させることを特徴とする請求項４に記載の信号処理回路。
【請求項６】
ＣＤのピックアップからのＲＦ信号を受け、ＥＦＭ信号に変換する読出し部と、
サーボ機構およびスピンドルモータを制御するサーボコントローラと、
前記ＥＦＭ信号からＰＣＭ信号を生成する請求項１から５のいずれかに記載の信号処理回路と、
前記ＰＣＭ信号を表すオーディオ信号を外部に送信するインタフェース回路と、
を備えることを特徴とするオーディオ用集積回路。
【請求項７】
請求項６に記載のオーディオ用集積回路を備えることを特徴とするオーディオ装置。
【請求項８】
請求項１から５のいずれかに記載の信号処理回路を備えることを特徴とするオーディオ装置。
【請求項９】
請求項１から５のいずれかに記載の信号処理回路を備えることを特徴とする電子機器。
【請求項１０】
オーディオ信号の再生方法であって、
誤り訂正可能なフォーマットを有する前記デジタルオーディオ信号に誤り訂正処理を施し、ＰＣＭ（Pulse Code Modulation）信号を復元するステップと、
前記ＰＣＭ信号の振幅を、ボリューム値にしたがって調節するステップと、
誤り訂正が失敗したときに、前記ボリューム値を低下させるステップと、
を備えることを特徴とする再生方法。
【請求項１１】
前記誤り訂正の失敗が所定時間連続したときに、前記ボリューム値を低下させることを特徴とする請求項１０に記載の再生方法。
【請求項１２】
前記誤り訂正の失敗が発生する期間において、時間的に連続する２サンプルの前記ＰＣＭ信号の差分が所定のしきい値を超えると、前記ボリューム値を低下させることを特徴とする請求項１０または１１に記載の再生方法。
【発明の詳細な説明】
【技術分野】
【０００１】
本発明は、デジタルオーディオ信号の信号処理回路に関する。
【背景技術】
【０００２】
オーディオデータを収容するメディアとして、コンパクトディスク（ＣＤ）が広く普及している。コンパクトディスクには、ピットと呼ばれる溝が形成されており、ピットとランドのパターンが情報を表す。ピックアップは、ディスクの表面にレーザ光を照射し、その反射光を検知する。反射光は、光ディスクの表面に形成されたランドとピットのパターンに応じた波形を有する。ピックアップは、反射光に応じた電気信号を生成する。
【０００３】
ＲＦアンプは、ピックアップが生成した電気信号を増幅し、しきい値と比較することにより２値のＥＦＭ（Eleven to Fourteen Modulation）信号に変換する。ＣＤプレイヤは、ＥＦＭ信号にもとづいてフレームデータを抽出し、エラー訂正を行い、ＰＣＭ（Pulse Code Modulation）信号を生成する。
【０００４】
フレームデータには、ＬチャンネルとＲチャンネルそれぞれの６サンプル分の情報（２×６×１６＝１９２ビット）と、ＣＩＲＣ（Cross Interleave Reed-Solomon Code）による誤り訂正符号（パリティ）が含まれる。ＣＤプレイヤは、パリティにもとづいて誤り訂正処理を行い、正しいＰＣＭ信号を復調する。
【先行技術文献】
【特許文献】
【０００５】
【特許文献１】特開２０１３−１６２５１７号公報
【発明の概要】
【発明が解決しようとする課題】
【０００６】
ディスクに傷が入っていたり、再生中に大きな振動が発生すると、パリティにもとづく誤り訂正が不可能なほど深刻な読出しエラーが発生する場合がある。誤り訂正が不可能な場合に得られるＰＣＭ信号は、元のオーディオ信号とは無関係の壊れたデータであり、ノイズや大音量を引き起こす可能性がある。同様の問題は、ＣＤのみでなく、そのほかのフォーマットのオーディオ信号の再生時においても生じうる。
【０００７】
本発明は係る課題に鑑みてなされたものであり、そのある態様の例示的な目的のひとつは、ノイズや大音量を抑制可能な信号処理回路の提供にある。
【課題を解決するための手段】
【０００８】
本発明のある態様は、誤り訂正可能なフォーマットを有するデジタルオーディオ信号を処理する信号処理回路に関する。信号処理回路は、デジタルオーディオ信号に誤り訂正処理を施し、ＰＣＭ（Pulse Code Modulation）信号を出力する誤り訂正回路と、ＰＣＭ信号の振幅を、ボリューム値にしたがって調節するデジタルボリューム回路と、誤り訂正回路における訂正が失敗したときに、デジタルボリューム回路のボリューム値を低下させるノイズ抑制器と、を備える。
【０００９】
この態様によると、訂正不可能な深刻なエラーが発生したときに、音量を低下させることにより、ノイズや大音量を抑制できる。
【００１０】
ノイズ抑制器は、誤り訂正回路における訂正の失敗が所定時間連続したときに、ボリューム値を低下させてもよい。深刻なエラーが長い時間持続すると、本来のオーディオ信号と相関のないノイズが再生されることとなる。この態様によればそのような期間に、ボリューム値を低下させることで、長い時間持続するノイズを聞こえにくくすることができる。
【００１１】
ボリューム値は、時間的に緩やかに低下してもよい。これにより、ボリューム制御にともなうノイズを抑制できる。
【００１２】
ノイズ抑制器は、誤り訂正回路における訂正の失敗が発生する期間において、時間的に連続する２サンプルのＰＣＭ信号の差分が所定のしきい値を超えると、ボリューム値を低下させてもよい。このような状況では、突発的なノイズが発生する可能性があるところ、ボリューム値を低下させることで、突発的なノイズを聞こえにくくすることができる。
【００１３】
信号処理回路は、所定の再生時間に対応する複数サンプルにわたるＰＣＭ信号を保持するバッファをさらに備えてもよい。ノイズ抑制器は、差分がしきい値を超えるタイミングに先だって、ボリューム値を緩やかに低下させてもよい。
これにより急激なボリューム変化にともなうノイズあるいは聴感的な違和感を抑制しつつ、瞬間的なノイズを十分に減衰させることができる。
【００１４】
本発明の別の態様は、オーディオ用集積回路に関する。オーディオ用集積回路は、ＣＤのピックアップからのＲＦ信号を受け、ＥＦＭ信号に変換する読出し部と、サーボ機構およびスピンドルモータを制御するサーボコントローラと、ＥＦＭ信号からＰＣＭ信号を生成する上述のいずれかの信号処理回路と、ＰＣＭ信号を表すオーディオ信号を外部に送信するインタフェース回路と、を備えてもよい。
【００１５】
本発明の別の態様は、カーオーディオ装置に関する。カーオーディオ装置は、上述のいずれかの信号処理回路あるいはオーディオ用集積回路を備える。
【００１６】
本発明の別の態様は、オーディオコンポーネント装置に関する。オーディオコンポーネント装置は、上述のいずれかの信号処理回路あるいはオーディオ用集積回路を備える。
【００１７】
本発明の別の態様は、電子機器に関する。電子機器は、上述のいずれかの信号処理回路あるいはオーディオ用集積回路を備える。
【００１８】
なお、以上の構成要素の任意の組み合わせや本発明の構成要素や表現を、方法、装置、システムなどの間で相互に置換したものもまた、本発明の態様として有効である。
【発明の効果】
【００１９】
本発明に係る信号処理回路によれば、ノイズや大音量を抑制できる。
【図面の簡単な説明】
【００２０】
【図１】実施の形態に係るオーディオシステムの全体のブロック図である。
【図２】信号処理回路のブロック図である。
【図３】図１のＣＤ再生回路の動作を示すフローチャートである。
【図４】第１制御方法に関連する動作波形図である。
【図５】第２制御方法に関連する動作波形図である。
【図６】実施の形態に係るオーディオ集積回路を備えるオーディオシステムのブロック図である。
【図７】オーディオシステムを備える自動車を示す図である。
【図８】オーディオコンポーネント装置の外観図である。
【発明を実施するための形態】
【００２１】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２２】
本明細書において、「部材Ａが、部材Ｂと接続された状態」とは、部材Ａと部材Ｂが物理的に直接的に接続される場合のほか、部材Ａと部材Ｂが、電気的な接続状態に影響を及ぼさず、あるいは機能を阻害しない他の部材を介して間接的に接続される場合も含む。
【００２３】
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさず、あるいは機能を阻害しない他の部材を介して間接的に接続される場合も含む。
【００２４】
図１は、実施の形態に係るオーディオシステム１の全体のブロック図である。オーディオシステム１は、音源２、オーディオ信号処理回路４、パワーアンプ６、電気音響変換素子８を備える。音源２は、ＣＤプレイヤであり、オーディオＣＤからオーディオ信号を読出し、ＰＣＭ信号として出力する。オーディオ信号処理回路４は、音源２からのオーディオ信号にさまざまなデジタル信号処理を施すＤＳＰ（Digital Sound ProcessorあるいはDigital Signal Processor）と、デジタルオーディオ信号をアナログオーディオ信号に変換するＤ／Ａコンバータを含む。パワーアンプ６は、アナログオーディオ信号を増幅し、スピーカあるいはヘッドホンなどの電気音響変換素子８を駆動する。
【００２５】
音源２は、光ディスク１０１、光学ヘッド１０２、スピンドルモータ１０８、モータドライバ１１０、サーボ機構１２０を備える。
【００２６】
光学ヘッド１０２は、光ディスク１０１の表面にレーザ光を照射し、その反射光を検知する。反射光は、光ディスク１０１の表面に形成されたランドとピットのパターンに応じた波形を有する。光学ヘッド１０２は、反射光に応じた電気信号（Ａ信号〜Ｆ信号）を生成する複数のフォトディテクタを含む。
【００２７】
サーボ機構１２０は、フォーカシングサーボ１２２、トラッキングサーボ１２４、スレッドサーボ１２６を含む。フォーカシングサーボ１２２は、光学ヘッド１０２のレンズの高さ方向の位置を制御し、フォーカスを調節する。トラッキングサーボ１２４は、レンズの横方向の位置を制御し、フォーカス点のディスク面径方向の位置をピット列に追従するように微調節する。スレッドサーボ１２６は、光学ヘッド１０２全体を周方向にゆっくりと移動させる。サーボ機構１２０は、ＣＤ再生回路２００からの制御信号にもとづいて制御される。
【００２８】
スピンドルモータ１０８は光ディスク１０１を回転させる。モータドライバ１１０は、ＣＤ再生回路２００からの制御信号に応じてスピンドルモータ１０８の回転を制御する。
【００２９】
ＣＤ再生回路２００は、読出し部２０２、サーボコントローラ２０４、信号処理回路２１０、インタフェース回路２０８を備える。
【００３０】
読出し部２０２は、ＲＦアンプ（プリサーボアンプ）、二値化回路、ＥＦＭ復調器を含む。プリサーボアンプは、光学ヘッド１０２から得られた電気信号（Ａ〜Ｆ信号）を増幅および信号処理し、ＲＦ（Ａ＋Ｂ＋Ｃ＋Ｄ）信号、ＡＣ（Ａ＋Ｃ）信号、ＢＤ（Ｂ＋Ｄ）信号、ＦＥ（Focus Error）信号、ＴＥ（Tracking Error）信号などを生成する。二値化回路は、ＲＦ信号をしきい値と比較し、比較結果に応じてハイレベルとローレベルをとるＥＦＭ信号を生成する。ＥＦＭ復調器はＥＦＭ信号を復調する。
【００３１】
サーボコントローラ２０４は、ＡＣ信号、ＢＤ信号、Ｅ信号、Ｆ信号等にもとづいて、ＳＤ信号、ＦＤ信号、ＴＤ信号を生成し、サーボ機構１２０を制御する。またモータドライバ１１０を駆動するための制御信号を生成する。
【００３２】
信号処理回路２１０は、読出し部２０２からのフレームデータを受ける。フレームデータは、ＬチャンネルとＲチャンネルそれぞれの６サンプル分の情報（２×６×１６＝１９２ビット）と、ＣＩＲＣ（Cross Interleave Reed-Solomon Code）による誤り訂正符号ＥＣＣ（パリティともいう）が含まれており、誤り訂正可能なフォーマットを有している。信号処理回路２１０は、パリティにもとづいて誤り訂正処理を行い、正しいＰＣＭ信号を復元する。
【００３３】
インタフェース回路２０８は、Ｉ２Ｓ（Inter IC Sound）インタフェースやＳ／ＰＤＩＦ（Sony Philips Digital Interface）であり、信号処理回路２１０から出力されるＰＣＭ信号Ｓ２を、オーディオ信号処理回路４にシリアル伝送する。
【００３４】
以上がオーディオシステム１の全体構成である。図２は、信号処理回路２１０のブロック図である。信号処理回路２１０は、上述のように、誤り訂正可能なフォーマットを有するデジタルオーディオ信号を含むフレームデータＳ１を処理する。
【００３５】
信号処理回路２１０は、誤り訂正回路２１２、デジタルボリューム回路２１４、ノイズ抑制器２１６、バッファ２１８を含む。信号処理回路２１０は、ソフトウェアプログラムを実行するマイコンの内部に構成されてもよいし、ハードウェアで構成されてもよいし、それらの組み合わせで構成してもよい。
【００３６】
誤り訂正回路２１２は、デジタルオーディオ信号を含むフレームデータＳ１を受け、誤り訂正処理を施し、ＰＣＭ（Pulse Code Modulation）信号Ｓ３を出力する。デジタルボリューム回路２１４は、ＰＣＭ信号Ｓ３の振幅を、ボリューム値Ｓ４にしたがって調節し、ＰＣＭ信号Ｓ２を出力する。
【００３７】
ノイズ抑制器２１６は、誤り訂正回路２１２における訂正が失敗したときに、デジタルボリューム回路２１４のボリューム値Ｓ４を低下させる。たとえば誤り訂正回路２１２は、訂正の成否を示すエラー信号Ｓ５を、フレームごとに生成する。たとえばエラー信号Ｓ５は、エラーが発生した位置（フレーム）を示す信号であり、訂正が失敗したときにアサートされ（ハイレベル）、成功したときにネゲートされる（ローレベル）。
【００３８】
誤り訂正回路２１２の後段には、数百ｍｓ〜数秒の再生時間に相当するＰＣＭ信号Ｓ３を一時的に保持するバッファ２１８を設けることが好ましい。デジタルボリューム回路２１４は、バッファ２１８に格納されるＰＣＭ信号Ｓ３’の振幅を制御する。
【００３９】
ノイズ抑制器２１６は、以下の２つの方式のいずれか、あるいは両方にもとづいて、ボリューム値Ｓ４を制御する。
【００４０】
（第１制御方法）
第１制御方法は、主として連続的な長い期間にわたるノイズを抑制することを目的とする。ノイズ抑制器２１６は、誤り訂正回路２１２における訂正の失敗が所定時間τ、連続したときに、すなわち所定フレーム数、連続したときに、ボリューム値Ｓ４を低下させる。この際に、ボリューム値Ｓ４を急激に低下させるとノイズや違和感の原因となるため、時間的に緩やかに低下させることが望ましい。
【００４１】
（第２制御方法）
第２制御方法は、主として瞬間的なノイズを抑制することを目的とする。ノイズ抑制器２１６は、誤り訂正回路２１２における訂正の失敗が発生する期間において、時間的に連続する２サンプルのＰＣＭ信号Ｓ３’の差分（ΔＳ＝｜Ｓ３’［ｉ］−Ｓ３’［ｉ＋１］｜）が所定のしきい値ＴＨを超えると、ボリューム値Ｓ４を低下させる。Ｓ３’［ｉ］は、サンプリング時刻ｉ（ｉ＝１，２，…）におけるＰＣＭ信号を表す。
【００４２】
ここでも、ボリューム値Ｓ４を急激に低下させるとノイズや違和感の原因となるため、ボリューム値Ｓ４は緩やかに低下させることが好ましい。ところが連続する２サンプルのＰＣＭ信号Ｓ３’の差分がしきい値ＴＨを超えてから、ボリューム値Ｓ４を下げ始めたのでは、瞬間的なノイズを十分に減衰させることができない。そこでノイズ抑制器２１６は、差分がしきい値ＴＨを超えた時刻（ノイズ発生タイミング）に先だって、ボリューム値Ｓ４を緩やかに低下させていく。
【００４３】
以上が信号処理回路２１０の構成および処理である。続いてＣＤ再生回路２００の動作を説明する。
【００４４】
図３は、図１のＣＤ再生回路２００の動作を示すフローチャートである。ＣＤの再生が開始すると、セクタ単位でデータが読み出される（Ｓ１００）。１セクタは、９８フレームで構成される。そしてフレームデータごとにＥＣＣ（Error Correction Code）にもとづく誤り訂正処理が行われる（Ｓ１０２）。エラーが発生すると、リトライ回数がしきい値を超えるまで、読出しがリトライされる（Ｓ１０４のＮ）。そして可能であれば、誤り訂正が行われる（Ｓ１０４のＹ、Ｓ１０６のＹ）。
【００４５】
誤り訂正の可否にもとづいて、エラー位置情報としてエラー信号Ｓ５が生成される（Ｓ１０６のＹ）。そしてエラー信号Ｓ５の有無および第１あるいは第２の制御方法にもとづいて、ボリューム値Ｓ４が調節され（Ｓ１１０）、ボリューム調節後のオーディオ信号が出力される（Ｓ１１２）。再生停止が指示されると（Ｓ１１４のＹ）、再生が停止し、そうでないとき、次のセクタが読み出される（Ｓ１００）。
【００４６】
図４は、第１制御方法に関連する動作波形図である。本明細書において参照する波形図やタイムチャートの縦軸および横軸は、理解を容易とするために適宜拡大、縮小したものであり、また示される各波形も、理解の容易のために簡略化され、あるいは誇張もしくは強調されている。
【００４７】
時刻ｔ０より前は正常状態であり、正しいオーディオ信号が再生されている。時刻ｔ０に、深刻なエラーが発生し、エラー信号Ｓ５がアサートされる。ノイズ抑制器２１６は、時刻ｔ１にエラー信号Ｓ５のアサートが所定時間τ持続すると、ボリューム値Ｓ４を緩やかに低下させる。
【００４８】
ノイズ抑制器２１６は、バッファ２１８からＰＣＭ信号Ｓ３’を読み出す。読み出されるＰＣＭ信号Ｓ３’は、もとのＰＣＭ信号Ｓ３に対して、所定サンプル数に対応する時間Ｔｄ、遅延している。ノイズ抑制器２１６は、ＰＣＭ信号Ｓ３’に、ボリューム値Ｓ４に応じた係数を乗算し、ＰＣＭ信号Ｓ２を出力する。
【００４９】
深刻なエラーが長い時間持続すると、本来のオーディオ信号と相関のないノイズが再生されることとなる。第１制御方法によれば、そのような期間に、ボリューム値Ｓ４を低下させることで、長い時間持続するノイズを聞こえにくくすることができる。
【００５０】
図５は、第２制御方法に関連する動作波形図である。時刻ｔ０より前は正常であり、正しいオーディオ信号が再生されている。時刻ｔ０〜ｔ１の間、深刻なエラーが発生しており、この区間、エラー信号Ｓ５がアサートされる。ノイズ抑制器２１６は、エラー信号Ｓ５がアサートされる区間、ＰＣＭ信号Ｓ３の連続する２サンプルの差分データΔＳを生成する。そして時刻ｔ２に差分データΔＳがしきい値ＴＨを超えると、ボリューム値Ｓ４を緩やかに低下させる。そしてバッファ２１８から読出したＰＣＭ信号Ｓ３’に、ボリューム値Ｓ４に応じた係数を乗算し、ＰＣＭ信号Ｓ４を出力する。
【００５１】
差分データΔＳがしきい値ＴＨを超える状態は、突発的なノイズが発生する可能性がある。第２制御方法によれば、このような状況においてボリューム値Ｓ４を低下させることで、突発的なノイズを聞こえにくくすることができる。低下したボリューム値Ｓ４は、差分ΔＳがしきい値ＴＨより小さくなると、緩やかにもとの値に復帰する。
【００５２】
以上がＣＤ再生回路２００の動作である。このＣＤ再生回路２００によれば、訂正不可能な深刻なエラーが発生したときに、音量を低下させることにより、ノイズや大音量を抑制できる。
【００５３】
本発明は、図１および図２のブロック図や回路図として把握され、あるいは上述の説明から導かれるさまざまな装置、回路に及ぶものであり、特定の構成に限定されるものではない。以下、本発明の範囲を狭めるためではなく、発明の本質や回路動作の理解を助け、またそれらを明確化するために、より具体的な構成例や実施例を説明する。
【００５４】
図６は、実施の形態に係るオーディオ集積回路３００を備えるオーディオシステム４００のブロック図である。オーディオ集積回路３００は、図１のＣＤ再生回路２００の機能に加えて、メディアからのオーディオ信号の読出しやデコード処理などのインタフェース機能を備えるＳｏＣ（System On Chip）である。図１と共通の構成には同一の符号を付し、説明を省略する。
【００５５】
オーディオ集積回路３００には、電源回路４０２から、アナログ回路用の３．３Ｖの電源電圧ＶＣＣと、デジタル回路用の１．５５Ｖの電源電圧ＶＤＤが供給される。また、外部の発振器４０４から、マスタークロック信号ＭＣＬＫが入力される。
【００５６】
Bluetooth（登録商標）インタフェース（ＨＣＩ：Host Controller Interface）３０２には、Bluetoothモジュール４０６が接続され、デジタルのオーディオ信号を受ける。ＵＳＢインタフェース３０４は、ＵＳＢメモリ４０８あるいはＵＳＢ端子を備えるオーディオ機器などが接続される。ＳＤインタフェース３０６は、ＳＤメモリ４１０から、オーディオデータを読み出す。Ｉ２Ｓインタフェース３０８は、チューナ４１２などの外部機器からのデジタルオーディオ信号を受信する。
【００５７】
Ａ／Ｄコンバータ３１０は、マイク４１４と接続され、マイク４１４からのアナログ信号をデジタル信号に変換する。
【００５８】
フラッシュメモリ４１６には、オーディオ集積回路３００の設定値やソフトウェアプログラムなどが格納されている。フラッシュインタフェース３１２は、フラッシュメモリ４１６から設定値を読み出す。
【００５９】
ＣＤサーボ・ＤＳＰブロック３１４は、図１の読出し部２０２、サーボコントローラ２０４、信号処理回路２１０に対応する。このブロックが生成したＰＣＭ信号Ｓ２は、セレクタ３１６およびＩ２Ｓ出力インタフェース３１８を経て、ＰＷＭ（Pulse Width Modulation）アンプ回路４２０に入力される。ＰＷＭアンプ回路４２０は、図１のオーディオ信号処理回路４およびパワーアンプ６に相当する。オーディオ信号処理回路４は、オーディオ信号をＰＷＭ信号に変換する。パワーアンプ６は、ＰＷＭ信号に応じてスイッチングするＤ級アンプである。
【００６０】
オーディオ集積回路３００は、埋め込みプロセッサ（マイコン）３２０を備える。プロセッサ３２０が、ソフトウェアプログラムを実行することにより、さまざまな機能ブロックが構成される。
【００６１】
Ａ２ＤＰ（Advanced Audio Distribution Profile）処理部３２２およびＳＢＣ（SubBand Codec）デコーダ３２４は、Bluetoothインタフェース３０２が読出したオーディオデータをデコードする。ＵＳＢオーディオデコーダ３２６は、ＵＳＢオーディオデータをデコードする。
【００６２】
ファイルシステム３２８は、ＵＳＢメモリ４０８やＳＤメモリ４１０のファイルシステムを管理し、データの読出し、書き出しを制御する。
【００６３】
ＣＤ−ＲＯＭデコーダ３３０は、ＣＤ−ＲＯＭのファイルフォーマットであるＩＳＯ９６６０を管理する。そしてオーディオＣＤ以外のＣＤ−ＲＯＭに格納されているオーディオデータを読み出す。オーディオデコーダ３３２は、ファイルシステム３２８あるいはＣＤ−ＲＯＭデコーダ３３０が読出した圧縮オーディオデータをデコードする。たとえばオーディオデコーダ３３２は、ＭＰ３（MPEG-1 Audio Layer-3），ＷＭＡ（Windows Media Audio），ＡＡＣ（Advanced Audio Coding），ＦＬＡＣ（Free Lossless Audio Codec），ＷＡＶ（RIFF waveform Audio Format）などをサポートする。
【００６４】
セレクタ３１６は、ＣＤサーボ・ＤＳＰブロック３１４あるいはプロセッサ３２０から出力されるデジタルオーディオ信号のひとつを選択する。
【００６５】
セレクタ３３６は、ＣＤサーボ・ＤＳＰブロック３１４あるいはＩ２Ｓインタフェース３０８が読出したＰＣＭ信号の一方を選択する。オーディオエンコーダ３３４は、セレクタ３３６が選択したＰＣＭ信号を、ＭＰ３あるいはＷＡＶのフォーマットでエンコードする。ファイルシステム３２８は、エンコードされたオーディオ信号を、ＵＳＢメモリ４０８やＳＤメモリ４１０に書き込む。
【００６６】
チューナ４１２などがＩ２Ｓ出力インタフェースを備える場合、セレクタ３４０が設けられる。セレクタ３４０は、Ｉ２Ｓ出力インタフェース３１８またはチューナ４１２からのオーディオ信号を選択し、ＰＷＭアンプ回路４２０に送信する。
【００６７】
（用途）
オーディオシステム１の用途を説明する。図７は、オーディオシステム１を備える自動車５００を示す図である。自動車５００に搭載されるオーディオシステムは、５．１チャンネル（フロント右ＦＲ、リア右ＲＲ、フロント左ＦＬ、リア左ＲＬ、センターＣ、サブウーファＳＷ）で構成される。
【００６８】
自動車５００は、６個のスピーカＣ，ＦＬ，ＦＲ，ＲＬ，ＲＲ，ＳＷを備える。ヘッドユニット５０２は、図１の音源２、オーディオ信号処理回路４、パワーアンプ６を内蔵したオーディオ装置であり、より詳しくは、オーディオ内蔵のカーナビ装置、ＣＤプレイヤやＤＶＤプレイヤなどである。ヘッドユニット５０２は、パワーアンプ６を内蔵しており、６個のスピーカを駆動する。パワーアンプ６はヘッドユニット５０２の外部に設けられてもよい。
【００６９】
オーディオシステム１はカーオーディオ装置のみでなく、家庭用のホームオーディオシステムのオーディオコンポーネント（オーディオ装置）に利用することもできる。あるいはオーディオシステム１は、テレビ、デスクトップコンピュータ、ラップトップコンピュータなどの電子機器に搭載することもできる。
【００７０】
図８は、ホームオーディオ装置７００である。ホームオーディオ装置７００は、アンプ７０２、プレイヤ７０４、スピーカ７０６，７０８を備える。ここでは２チャンネルのシステムを示すが、５．１チャンネル、６．１チャンネル、７．１チャンネル、９．１チャンネルなど、チャンネル数は限定されない。
【００７１】
プレイヤ７０４は、ＣＤプレイヤやＤＶＤプレイヤ、Blu-ray（登録商標）ディスクプレイヤ、ＵＳＢオーディオプレイヤなどであり、図１の音源２に対応する。アンプ７０２は、上述のオーディオ信号処理回路４およびパワーアンプ６を内蔵しており、スピーカ７０６を駆動する。
【００７２】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００７３】
（第１変形例）
実施の形態では、オーディオＣＤの再生を例としたが、本発明はそれに限定されず、オーディオＣＤと類似したフォーマットを有するさまざまなオーディオ信号の再生に利用できる。
【００７４】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００７５】
１…オーディオシステム、２…音源、４…オーディオ信号処理回路、６…パワーアンプ、８…電気音響変換素子、１０１…光ディスク、１０２…光学ヘッド、１０８…スピンドルモータ、１１０…モータドライバ、１２０…サーボ機構、２００…ＣＤ再生回路、２０２…読出し部、２０４…サーボコントローラ、２０８…インタフェース回路、２１０…信号処理回路、２１２…誤り訂正回路、２１４…デジタルボリューム回路、２１６…ノイズ抑制器、２１８…バッファ、Ｓ１…フレームデータ、Ｓ２，Ｓ３…ＰＣＭ信号、Ｓ４…ボリューム値、Ｓ５…エラー信号、３００…オーディオ集積回路４s、５００…自動車、５０２…ヘッドユニット、７００…ホームオーディオ装置、７０２…アンプ、７０４…プレイヤ、７０６…スピーカ。
【図１】
2017228861.tif 000003
【図２】
2017228861.tif 000004
【図３】
2017228861.tif 000005
【図４】
2017228861.tif 000006
【図５】
2017228861.tif 000007
【図６】
2017228861.tif 000008
【図７】
2017228861.tif 000009
【図８】
2017228861.tif 000010